(57)【要約】【課題】テレビ視聴機能の動作可能時間を従来のテレビ視聴機能を備えた携帯電話装置よりも長く可能とする携帯電話装置を提供する。【解決手段】電源を供給する電池を有する電源部(110)と、前記電池から電源の供給を受けて電話通信を実行する電話実行部(120)と、前記電池から電源の供給を受けて放送電波を受信してこの放送電波に含まれる放送データを視聴可能に出力する放送視聴実行部(130)と、前記電池の状態に関する電源状態データに基づいて前記放送視聴実行部の動作を段階的に制限する制御部(140)とを携帯電話装置(100)に設けた。【選択図】図１
2010232999.tif 000002
【特許請求の範囲】
【請求項１】
電源を供給する電池を有する電源部と、
前記電池から電源の供給を受けて電話通信を実行する電話実行部と、
前記電池から電源の供給を受けて放送電波を受信してこの放送電波に含まれる放送データを視聴可能に出力する放送視聴実行部と、
前記電池の状態に関する電源状態データに基づいて前記放送視聴実行部の動作を段階的に制限する制御部と
を備えることを特徴とする携帯電話装置。
【請求項２】
請求項１に記載の携帯電話装置において、
前記放送視聴実行部は、前記放送電波を受信して表示データおよび音声データを出力する放送電波受信部と、前記表示データを表示する表示部と、前記音声データを出力する音声出力部とを備え、
前記制御部は前記電源状態データに基づいた自装置の状態レベルに応じて前記表示部、前記音声出力部、前記放送電波受信部の動作を制御することを特徴とする携帯電話装置。
【請求項３】
請求項１又は２に記載の携帯電話装置において、
前記放送視聴実行部の動作が制限されているときに、この制限を一時的に解除する放送データ表示制限解除部を備えることを特徴とする携帯電話装置。
【請求項４】
電源を供給する電池を有する電源部と、前記電池から電源の供給を受けて電話通信を実行する電話実行部と、前記電池から電源の供給を受けて放送電波を受信してこの放送電波に含まれる放送データを視聴可能に出力する放送視聴実行部と、前記電池の状態に関する電源状態データに基づいて前記放送視聴実行部の動作を段階的に制限する制御部とを備えた携帯電話装置の制御方法であって、
前記電源状態データを取得するステップと、
取得した前記電源状態データに基づいて前記放送視聴実行部の動作を選択的に制限するステップと
を有することを特徴とする携帯電話装置の制御方法。
【請求項５】
請求項４記載の携帯電話装置の制御方法をコンピュータに実行させるための携帯電話装置の制御プログラム。
【発明の詳細な説明】
【技術分野】
【０００１】
本発明は、携帯電話装置と携帯電話装置の制御方法及びプログラムに関し、特にテレビ視聴機能を有する携帯電話装置と携帯電話装置の制御方法及びプログラムに関する。
【背景技術】
【０００２】
近年、移動体通信システムにおける携帯電話装置は、音声通信機能に加えて電子メールの送受信やインターネット接続、さらには携帯端末装置向けの地上デジタルテレビ放送サービス（通称「ワンセグ」）の視聴機能といった多種多様な機能が搭載されている。
このように多機能化された携帯電話装置において、ワンセグを受信し視聴するといったテレビ視聴機能が要する消費電力は、通常待ち受け時や音声通話時さらには電子メールの送受信時に比べて一般的に多くなる。したがって、テレビの視聴を継続することによって、この携帯電話装置の内蔵電池は消耗し、ついには携帯電話装置の動作が停止してしまうといった問題、すなわち、テレビの視聴を継続することにより、電話装置本来の機能である音声通信の発着信ができなくなってしまうといった問題があった。
【０００３】
従来は、上述した問題に対して、テレビ視聴機能を備えた携帯電話装置の内蔵電源を監視してこのテレビ視聴機能を停止させる技術や（特許文献１）、同じくテレビ視聴機能を備える携帯電話装置の内蔵電源を監視することによってテレビ視聴機能を制限し、この状態を携帯電話装置の表示装置に明示させる技術（特許文献２）が知られている。
【先行技術文献】
【特許文献】
【０００４】
【特許文献１】特開２００４−２７４０９５号公報
【特許文献２】特開２００５−１５１１１７号公報
【発明の概要】
【発明が解決しようとする課題】
【０００５】
しかしながら、これらの従来の技術は、携帯電話装置の内蔵電源を監視することにより、電源電圧が所定の値となった場合にテレビ視聴機能を停止させるといった技術である。したがって、ユーザーが携帯電話装置でテレビを視聴している最中に電源電圧が所定の値に達するとテレビの視聴機能が停止される。その結果、ユーザーはテレビの視聴が突然妨げられることになり、ユーザーに対して不愉快な思いをさせてしまう可能性があった。さらに、従来の技術は、携帯電話装置の内蔵電源の電圧値を監視しこの電圧値が所定の値に達するとテレビ視聴機能を停止させることにより、この携帯電話装置の電話機能が使用できるよう内蔵電源のパワーセーブを実現しているが、テレビ視聴機能の動作可能時間を引き延ばすための技術ではなかった。
【０００６】
本発明は、上記のような問題を解決すべく、テレビ視聴機能を突然に停止させることなく、テレビ視聴機能の動作可能時間を引き延ばすことを可能とする携帯電話装置を提供することを目的とする。
【課題を解決するための手段】
【０００７】
上述の目的を達成するために、本発明は、電源を供給する電池を有する電源部と、前記電池から電源の供給を受けて電話通信を実行する電話実行部と、前記電池から電源の供給を受けて放送電波を受信してこの放送電波に含まれる放送データを視聴可能に出力する放送視聴実行部と、前記電池の状態に関する電源状態データに基づいて前記放送視聴実行部の動作を段階的に制限する制御部とを設けたことを特徴とする。
【発明の効果】
【０００８】
本発明によれば、放送データを視聴可能に出力する放送視聴実行部の動作を、電源部の状態を示す電源状態データに基づいて段階的に制限することによって、放送データの表示再生時間、すなわち、テレビ視聴機能の動作時間を引き延ばすことができる。また、放送視聴実行部の動作を段階的に制限することにより、ユーザーが突然テレビの視聴を妨げられるといったことがなくなり、ユーザーに対して円滑なテレビ視聴機能の動作制限を報知することが可能となる。
【図面の簡単な説明】
【０００９】
【図１】本発明の第１の実施の形態に係る携帯電話装置の構成を示すブロック図である。
【図２】第１の実施の形態に係る携帯電話装置の動作を示すフローチャートである。
【図３】本発明の第２の実施の形態に係る携帯電話装置の構成を示すブロック図である。
【図４】第２の実施の形態に係る携帯電話装置の動作を示すフローチャートである。
【図５】本発明の第３の実施の形態に係る携帯電話装置の構成を示すブロック図である。
【図６】第３の実施の形態に係る携帯電話装置の動作を示すフローチャートである。
【図７】本発明の状態レベルの一例を示す図である。
【図８】状態レベルに応じた表示部、音声出力部、放送電話受信部の動作制御の条件の一例を示す図である。
【発明を実施するための形態】
【００１０】
以下、図面を参照し、本発明の実施の形態について説明する。
［第１の実施の形態］
図１は本発明の第１の実施の形態に係る携帯電話装置の構成を示すブロック図である。
本実施の形態に係る携帯電話装置１００は、電話通信を実行する電話実行部１２０と、放送電波を受信してこの放送電波に含まれる放送データを視聴可能に出力する放送視聴実行部１３０と、これらに電源を供給する電池１１０ａを有する電源部１１０と、この電池の状態に関する電源状態データに基づいて前記放送視聴実行部の動作を段階的に制限する制御部１４０とから構成されている。
【００１１】
本実施の形態に係る携帯電話装置における放送視聴実行部の動作の制限について、その制御方法は、次のようなものである。
まず、制御部１４０は、電源状態データを取得すると（Ｓ１１）、この電源状態データに基づいて放送視聴実行部の動作を選択的に制限する（Ｓ１２）。すなわち、電源状態データから電池の残量が乏しいと判断されれば、放送視聴実行部１３０の複数の動作のうち制限すべき動作を選択して、選択された動作を制限する。ここで制限の方法としては、その動作を停止することや、動作の出力を抑えることが考えられる。
このような動作を繰り返すことによって、携帯電話装置１００の放送視聴動作は、電源状態データに応じて段階的に制限されることになる。
【００１２】
したがって、本実施の形態に係る携帯電話装置によれば、電源状態データに応じて放送視聴実行部の動作を段階的に制限するので、電話機能に必要な電力を確保しつつ、放送電波を受信して出力される放送データの表示再生時間、すなわち、テレビ視聴機能の動作時間を引き延ばすことができる。また、表示部と音声出力部と放送電波受信部とのそれぞれの動作を段階的に制御することにより、ユーザーが突然テレビの視聴を妨げられるといったことがなくなり、ユーザーに対して円滑なテレビ視聴機能の動作制限を報知することが可能となる。
【００１３】
［第２の実施の形態］
図３は本発明の第２の実施の形態に係る携帯電話装置の構成を示すブロック図である。
図３に示すように、本実施の形態に係る携帯電話装置２００は、電源部１１０と、電話実行部１２０と、放送視聴実行部２３０と、制御部２０６とから構成されている。
本実施の形態に係る携帯電話装置２００の電源部１１０、電話実行部１２０は、第１の実施の形態において説明した携帯電話装置１００の電源部１１０、電話実行部１２０と同一の構成及び機能を有するため、ここでは同一の符号を用いその説明は省略する。
【００１４】
放送視聴実行部２３０は、放送電波受信部２３１と、表示部２３２と、音声出力部２３３とから構成されている。
携帯電話装置２００においてテレビ視聴機能動作時には、放送電波受信部２３１は、ワンセグなどの放送電波を受信して、この放送電波に含まれる放送データを出力する。
表示部２３２は、放送電波受信部２３１が出力する放送データのうち、映像データや文字データを表示し、音声出力部２３３は、その放送データの音声データを出力して音声や音楽を再生する。
制御部２４０は、電源部１０１の状態を示す電源状態データを定期的に取得してこのデータを出力するとともに、この電源状態データに基づいて前記放送視聴実行部２３０の表示部２３２、前記音声出力部２３３、前記放送電波受信部２３１の動作を段階的に制御する。
【００１５】
なお、これらの構成要素は、ＣＰＵ（中央演算装置）やメモリ、インターフェースを備えたコンピュータに、コンピュータプログラムをインストールすることにより、上記の携帯電話装置１００に搭載されたコンピュータ（図示せず）のハードウェア資源とソフトウェアとが協働して実現されるものである。
【００１６】
次に、本実施の形態における携帯電話装置２００の動作について図４のフローチャートを参照して説明する。
制御部２４０は、電源部１１０の状態に関する電源状態データを取得して、図示しない携帯電話装置２００の記憶装置に記憶する（Ｓ２１）。電源状態データとは、携帯電話装置２００が動作するのに必要な電源の状態に関する情報であって、例えば、電源部１１０の電池１１０ａが携帯電話装置２００に供給している電源電圧を示す値を含むデータとしても良い。
【００１７】
続いて、制御部２４０は、図示しない携帯電話装置２００の記憶装置に記憶した電源状態データから、携帯電話装置２００のテレビ視聴機能における放送データの出力制限を行うか否かを所定の条件に基づいて判断し、表示部２３２と音声出力部２３３と放送電波受信部２３１との動作を制御して出力制限を設定する（Ｓ２２）。
【００１８】
ここで、放送データの出力制限について説明する。制御部２４０が取得した電源状態データから電池１１０ａの電源電圧が十分に高く、電池残量がテレビ視聴動作を行っても電話機能に影響ない程度であると判断した場合、通常のテレビ視聴動作を維持し放送データの出力制限制御は行わないが、電池１１０ａの電源電圧が十分に高くなく、電池の残量が乏しくなってきた判断した場合には、その電源電圧値のレベルに応じて表示部２３２、音声出力部２３３、放送電波受信部２３１に対してこれらの動作を制御して、放送データの出力制限を設定する。例えば、電池１１０ａの電源電圧がある所定のレベルの場合は、表示部２３２に出力する表示データを「文字データのみ出力」とするといった制御を実施し、この所定のレベルよりも低い場合には、表示部２３２だけではなく音声出力部２３３に対して出力する音声データの音量レベルを５０％低下させるといった制御を追加する。さらに、十分に低い電源電圧レベルと判断できるときには、表示部２３２、音声出力部２３３、放送電波受信部２３１への電源供給を停止して放送視聴実行部２３０の動作を停止する制御を行って、放送データの出力制限を行う。
【００１９】
所定の時間が経過すると（Ｓ２３）、再び制御部２４０は電源状態データを取得して上述した動作を実行する（Ｓ２１〜Ｓ２２）。
例えば、表示部２３２の放送データの出力制限が「文字データのみ出力」と設定されている場合、所定時間経過後に制御部２４０が取得した電源状態データから、表示部２３２の放送データの出力制限が「文字データのみ出力」の設定のままでは電話実行部１２０の動作に支障を来すレベルに達すると制御部２４０が判断すると、表示部２３２の放送データの出力制限を「電源供給停止」へ設定して、テレビ視聴動作における表示部２３２の表示機能を停止し音声出力部２３３による音声出力のみの放送データの出力制限制御を実施する。
【００２０】
このように、本実施の形態に係る携帯電話装置は、電源状態データを定期的に取得しこの電源状態データに基づいて放送データの出力制限制御を実施することにより、テレビ視聴機能を突然停止させることなく段階的にテレビ視聴機能を制限して、自装置の動作可能時間を引き延ばすことができる。
【００２１】
［第３の実施の形態］
図５は本発明の第３の実施の形態に係る携帯電話装置の構成を示すブロック図である。
図５に示すように、本実施の形態に係る携帯電話装置３００は、電源部１１０と、電話実行部１２０と、放送視聴実行部２３０と、制御部３４０と、記憶部３４０ａと、放送データ表示制限解除部３５０と解除釦３６０とから構成されている。
本実施の形態に係る携帯電話装置３００の電源部１１０、電話実行部１２０、放送視聴実行部２３０は、第２の実施の形態において説明した携帯電話装置２００の電源部１１０、電話実行部１２０、放送視聴実行部２３０と同一の構成及び機能を有するため、ここでは同一の符号を用い、その説明は省略する。
【００２２】
制御部３４０は、電源部１１０の状態を示す電源状態データを定期的に取得してこのデータを出力するとともに、この電源状態データに基づいて放送視聴実行部２３０の動作を段階的に制限して放送データの出力制限を設定する。また、電源状態データに基づいて放送データの出力制限動作がなされている場合、制御部３４０は放送データ出力制限解除部３５０から出力される制限解除信号を受信すると、放送視聴実行部２３０の制限状態に応じて一時的に出力制限を解除する。
放送データ表示制限解除部３５０は、制御部３４０によって放送データの出力制限がなされている場合、解除釦３６０をユーザーの明示的な操作、例えば、押し釦式のものであるならば、ユーザーが解除釦３６０を押下することよって出力制限解除の要求がなされ、制御部３４０に対して制限解除信号を出力する。
【００２３】
なお、これらの構成要素は、ＣＰＵ（中央演算装置）やメモリ、インターフェースを備えたコンピュータに、コンピュータプログラムをインストールすることによ、上記の携帯電話装置３００に搭載されたコンピュータに（図示せず）のハードウェア資源とソフトウェアとが協働して実現されるものである。
【００２４】
次に、本実施の形態に係る携帯電話装置３００の動作について、図６に示すフローチャートを参照して説明する。
【００２５】
制御部３４０は、電源部１１０の状態に関する電源状態データを取得して、携帯電話装置３００の記憶部３４０ａに記憶し（Ｓ３１）、この電源状態データから状態レベルを設定する（Ｓ３２）。
電源状態データは、第２の実施の形態において説明したように、携帯電話装置３００が動作するのに必要な電源の状態に関する情報である。電池１１０ａの出力電圧値を示す情報を含むとともに、この電池１１０ａが充電中であるのか否かを示す充電状態情報を含むデータとしても良い。
また、状態レベルとは、携帯電話装置３００における放送データの出力制限を段階的に制御するための条件であって、電源状態データに応じてレベルが設定される。
【００２６】
ここで、取得した電源状態データと状態レベルの関係の一例を図７に示す。図７は、縦軸に電源状態データから読み取った電池１１０ａの出力電圧、横軸に経過時間を配し、制御部３４０が電源状態データを取得する周期を[T]として示す。ここでは、電池１１０ａの出力電圧が高い方から、状態レベルを「レベル１」〜「レベル５」に分類する。
例えば、制御部３４０が時刻1Tで取得した電源状態データに含まれる電池１１０ａの出力電圧値情報から、制御部３４０は状態レベルを「レベル１」と設定する。また、電源状態データに含まれる充電状態情報から電池１１０ａが充電中である場合には、電池１１０ａの出力電圧値に関わらず状態レベルを「レベル１」と設定する、といった条件を付加しても良い。
【００２７】
次に、制御部３４０は、設定した状態レベルに応じた放送データの出力制限制御を行う（Ｓ３３）。
この放送データの出力制限制御とは、携帯電話装置３００の状態レベルに応じて放送視聴実行部２３０の表示部２３２、音声出力部２３３、放送電波受信部２３１の動作を制限することにより、携帯電話装置３００の消費電力をコントロールすることである。このとき、消費電力の大きい動作から制限していくことが望ましい。例えば、現在の多機能化された携帯電話装置はその多機能性から表示部に使用されているＬＣＤ（Liquid Crystal Display）の画面サイズが拡大傾向にあり、このＬＣＤの輝度設定が最大状態で使用されている場合、携帯電話装置の全消費電力のうち半分程度がこのＬＣＤの表示に消費されていることに鑑みれば、ＬＣＤの表示制限を実施することによって携帯電話装置の電力消費量をコントロールすることができる。
そこで、表示部２３２の表示動作制御については、表示部２３２に使用されている表示装置の輝度や出力しているデータの形式を消費電力の大きなものから小さなものに変更する、さらには停止といった制御を行うことにより消費電力をコントロールできる。
同様に、音声出力部２３３や放送電波受信部２３１についても、これらの動作を個別にまたは同時に制限することによって、携帯電話装置３００の消費電力をコントロールすることができる。
【００２８】
ここで、上述した状態レベルに応じた放送データの出力制限制御の一例を図８に示す。図８は、図７で示した状態レベルに応じて、表示部２３２、音声出力部２３３、放送電波受信部２３１の動作制御情報を格納した放送データ出力制限制御テーブルであり、制御部３４０の記憶部３４０ａにこのテーブルは記憶されている。制御部３４０はこのテーブルに則って放送データの出力制限制御を実施し、携帯電話装置３００の消費電力をコントロールする。
例えば、制御部３４０が設定した状態レベルが「レベル２」であるならば、放送データ出力制限制御テーブルから、制御部３４０は、表示部２３２の輝度を５０％低下させて放送データを表示させるように表示部２３２を制御して出力制限を設定する。「レベル３」であるならば、制御部３４０は、表示部２３２に表示させる放送データを文字データのみとし、音声出力部２３３から出力される音声データの音量を３０％低下させて放送データの出力制限を設定する。また、「レベル５」であるならば、制御部３４０は、放送データ出力制限制御として、表示部２３２、音声出力部２３３、放送電波受信部２３１の電源供給を停止して放送視聴実行部２３０のテレビ視聴機能を停止する。
【００２９】
次に、制御部３４０は、放送データ出力制限解除部３５０から出力制限解除信号を受信したか否かを判定する（Ｓ３４）。
制御部３４０が出力制限解除信号を受信していない場合は（Ｓ３４で「NO」）、制御部３４０は、電源状態データを取得する周期[T]が経過するまで待機する（Ｓ３７）。
【００３０】
一方、放送データ出力制限解除部３５０は、ユーザーによる解除釦３６０の明示的な操作を検知すると、制御部３４０に対して出力制限解除信号を出力する。
制御部３４０が出力制御解除信号を受信した場合は（Ｓ３４で「YES」）、制御部３４０は放送データの出力制限制御を一時的に解除する（Ｓ３５）。
【００３１】
ここで、放送データの出力制限制御を解除するとは、携帯電話装置３００が備えるテレビ視聴機能の全てを通常動作状態へ復帰させることである。例えば、携帯電話装置３００の状態レベルが「レベル３」である場合、放送データの出力制限制御は、図８に示すテーブルから、表示部２３２に対しては文字データのみの出力、音声出力部２３３に対しては音量を３０％低下させて出力といった出力制限制御を行っている。この出力制限制御を解除することは、表示部２３２と音声出力部２３３とを通常動作へと復帰させて放送データを通常出力することである。
【００３２】
制御部３４０によって一時的に放送データ出力制限制御が解除された後、予め設定されている時間が経過すると、制御部３４０は、携帯電話装置３００の設定されている状態レベルに応じた放送データの出力制限制御を再び実施する（Ｓ３６）。
電源状態データを取得する周期[T]が経過すると（Ｓ３７）、再び制御部３４０は電源状態データを取得して、上述した動作を実行する（Ｓ３２〜Ｓ３６）。
【００３３】
このように、本実施の形態に係る携帯電話装置は、電源状態データを定期的に取得しこの電源状態データに応じた放送データの出力制限制御を行うことによって、段階的な放送データの出力制限制御ができ、ユーザーに対して突然の表示制限といった不都合を感じさせることなく、テレビ視聴機能の動作可能時間を引き延ばすことができる。また、テレビ視聴機能の動作可能時間を引き延ばすことによって、テレビ視聴機能を動作させている間の音声通信の着信待ち受け可能時間を引き延ばすことが可能となる。
さらには、放送データの出力制限を解除する機能を設けることによって、出力制限制御がなされている携帯電話装置においても、一時的に放送データの内容を出力制限がなされていない状態で確認することができ、ユーザーに対して柔軟な放送データの出力制限が可能となる。
【産業上の利用可能性】
【００３４】
テレビ視聴機能を有する携帯電話装置に利用できる。
【符号の説明】
【００３５】
１００，２００，３００…携帯電話装置、１１０…電源部、１１０ａ…電池、１２０…電話実行部、１３０，２３０…放送視聴実行部、２３１…放送電波受信部、２３２…表示部、２３３…音声出力部、１４０，２４０，３４０…制御部、３４０ａ…記憶部、３５０…放送データ出力制限解除部、３６０…解除釦。
【図１】
2010232999.tif 000003
【図２】
2010232999.tif 000004
【図３】
2010232999.tif 000005
【図４】
2010232999.tif 000006
【図５】
2010232999.tif 000007
【図６】
2010232999.tif 000008
【図７】
2010232999.tif 000009
【図８】
2010232999.tif 000010